(57)【要約】  本発明の情報処理装置１００は、他の情報処理装置と近距離無線通信を行なう通信部１１０と、通信部１１０の通信結果に基づいて、他の情報処理装置１００が近接しているか否かを判定する判定部１２０と、判定部１２０の判定の結果が、他の情報処理装置１００が近接したことを示すものである場合には、通信部１１０を受信モードに移行させ、判定部１２０の判定の結果が、他の情報処理装置１００が近接していないことを示すものである場合には、通信部１１０を送信モードに移行させる制御部１３０と、を有する。
2015141248.tif 000002
【特許請求の範囲】
【請求項１】
他の情報処理装置と近距離無線通信を行なう通信部と、
前記通信部の通信結果に基づいて、他の情報処理装置が近接しているか否かを判定する判定部と、
前記判定部の判定結果に基づいて、前記通信部の通信動作を制御する制御部と、を備え、
前記制御部は、
前記判定部の判定の結果が、他の情報処理装置が近接したことを示すものである場合には、前記通信部を受信モードに移行させ、前記判定部の判定の結果が、他の情報処理装置が近接していないことを示すものである場合には、前記通信部を送信モードに移行させることを特徴とする情報処理装置。
【請求項２】
請求項１記載の情報処理装置において、
前記通信部は、モードの移行後、新たに情報処理装置が近接すると、前記新たに近接した情報処理装置との間で、移行したモードに応じてデータの送受信を行うことを特徴とする情報処理装置。
【請求項３】
請求項２記載の情報処理装置において、
前記通信部は、
近距離無線通信を行なう第１の通信部と、
前記第１の通信部よりも通信速度の速い第２の通信部と、を有し、
前記第２の通信部は、データを送受信することを特徴とする情報処理装置。
【請求項４】
請求項２記載の情報処理装置において、
前記第１の通信部は、前記通信部が前記受信モードに移行すると、前記第２の通信部によるデータの送受信に必要な識別情報を、前記新たに近接した情報処理装置へ送信することを特徴とする情報処理装置。
【請求項５】
請求項４記載の情報処理装置において、
前記判定部は、他の情報処理装置が近接していると判定した場合、該他の情報処理装置と自装置との位置関係を判定し、
前記制御部は、前記判定部により判定された位置関係に基づいて、自装置が、近接する複数の情報処理装置からなる情報処理装置群に属する情報処理装置のうち、所定の位置に配置されたマスター装置であるか否かを判定し、
前記第１の通信部は、自装置が前記マスター装置であると判定された場合、前記情報処理装置群に属する各情報処理装置の前記識別情報を受信し、該受信した識別情報を自装置の識別情報とともに、前記新たに近接した情報処理装置へ送信することを特徴とする情報処理装置。
【請求項６】
請求項１から５記載のいずれか１項に記載の情報処理装置において、
表示部をさらに有し、
前記判定部は、前記通信部のモードの移行後、新たに情報処理装置が近接すると、他の情報処理装置と自装置との位置関係を判定し、
前記制御部は、前記データの送受信完了後、前記判定部により判定された位置関係に基づいて、前記データの前記表示部への表示を制御することを特徴とする情報処理装置。
【請求項７】
請求項１から６のいずれか１項に記載の情報処理装置において、
物体の接触または近接による操作入力を検出する入力部をさらに有し、
前記通信部が送信モードに移行し、新たな情報処理装置が近接した後、前記入力部に所定の操作入力が行われると、
前記通信部は、前記データを送信することを特徴とする情報処理装置。
【請求項８】
情報処理装置の制御方法であって、
前記情報処理装置には、他の情報処理装置と近距離無線通信を行なう通信部が設けられ、
前記通信部の通信結果に基づいて、他の情報処理装置が近接しているか否かを判定し、
前記判定の結果が、他の情報処理装置が近接したことを示すものである場合には、前記通信部を受信モードに移行させ、前記判定の結果が、他の情報処理装置が近接していないことを示すものである場合には、前記通信部を送信モードに移行させることを特徴とする制御方法。
【請求項９】
請求項８記載の情報処理装置の制御方法であって、
前記通信部は、モードの移行後、新たに情報処理装置が近接すると、前記新たに近接した情報処理装置との間で、移行したモードに応じてデータの送受信を行うことを特徴とする情報処理装置の制御方法。
【請求項１０】
請求項９記載の制御方法において、
前記通信部は、近距離無線通信を行なう第１の通信部と、前記第１の通信部よりも通信速度の速い第２の通信部とからなり、
前記第２の通信部が、データを送受信することを特徴とする制御方法。
【請求項１１】
請求項１０記載の制御方法において、
前記通信部が前記受信モードに移行すると、前記第１の通信部が、前記第２の通信部によるデータの送受信に必要な識別情報を、前記新たに近接した情報処理装置へ送信することを特徴とする制御方法。
【請求項１２】
請求項１１記載の制御方法において、
他の情報処理装置が近接していると判定した場合、該他の情報処理装置と自装置との位置関係を判定し、
前記判定した位置関係に基づいて、自装置が、近接する複数の情報処理装置からなる情報処理装置群に属する情報処理装置のうち、所定の位置に配置されたマスター装置であるか否かを判定し、
前記第１の通信部は、自装置が前記マスター装置であると判定された場合、前記情報処理装置群に属する各情報処理装置の前記識別情報を受信し、該受信した識別情報を自装置の識別情報とともに、前記新たに近接した情報処理装置へ送信することを特徴とする制御方法。
【請求項１３】
請求項８から１２記載のいずれか１項に記載の制御方法において、
前記情報処理装置には、表示部がさらに設けられ、
前記通信部のモードの移行後、新たに情報処理装置が近接すると、他の情報処理装置と自装置との位置関係を判定し、
前記データの送受信完了後、記判定部により判定された位置関係に基づいて、前記データの前記表示部への表示を制御することを特徴とする制御方法。
【請求項１４】
請求項８から１３のいずれか１項に記載の制御方法において、
前記情報処理装置には、物体の接触または近接による操作入力を検出する入力部がさらに設けられ、
前記通信部が前記送信モードに移行し、新たに情報処置装置が近接した後、前記入力部に所定の操作入力が行われると、
前記通信部は、前記データを送信することを特徴とする制御方法。
【発明の詳細な説明】
【技術分野】
【０００１】
本発明は、情報処理装置およびその制御方法に関する。
【背景技術】
【０００２】
近年、ノートＰＣ（Ｐｅｒｓｏｎａｌ  Ｃｏｍｐｕｔｅｒ）、タブレット端末などの情報処理装置の小型、軽量化が進展している。情報処理装置の小型、軽量化の進展に伴い、会議などにおいて、各参加者が、自身が所有する情報処理装置上で、会議資料などを閲覧するという利用形態が一般的になっている。このような利用形態では、会議資料などのデータを各参加者に配布する必要がある。
データの配布方法の１つとしては、電子メールを用いる方法がある。この方法では、データの配布者が、参加者の電子メールのアドレスを把握している必要がある。しかし、参加者が予め特定されていない場合もあり、このような場合には、電子メールを用いる方法では各参加者にデータを配布することはできない。
特許文献１（特開２００２−２０４２３９号公報）には、ＲＦ（Ｒａｄｉｏ  Ｆｒｅｑｕｅｎｃｙ）タグを備える第１の情報処理装置と、ＲＦタグと通信可能なリーダライタを備える第２の情報処理装置との間でデータを送受信する技術が開示されている。この技術によれば、第１の情報処理装置を第２の情報処理装置に近接させることで、近距離通信が行われ、第２の情報処理装置から第１の情報処理装置にデータが送信される。
【先行技術文献】
【特許文献】
【０００３】
【特許文献１】特開２００２−２０４２３９号公報
【発明の概要】
【発明が解決しようとする課題】
【０００４】
特許文献１に開示されている技術では、第１の情報処理装置と第２の情報処理装置との間の通信は、１対１の関係にある。そのため、複数の第１の情報処理装置にデータを受信させるためには、第１の情報処理装置を１台ずつ、第２の情報処理装置に近接させる必要があり、手間がかかるという問題がある。
本発明の目的は、簡易な方法で、複数の情報処理装置にデータを配布することができる情報処理装置およびその制御方法を提供することにある。
【課題を解決するための手段】
【０００５】
上記目的を達成するために本発明の情報処理装置は、
他の情報処理装置と近距離無線通信を行なう通信部と、
前記通信部の通信結果に基づいて、他の情報処理装置が近接しているか否かを判定する判定部と、
前記判定部の判定結果に基づいて、前記通信部の通信動作を制御する制御部と、を備え、
前記制御部は、
前記判定部の判定の結果が、他の情報処理装置が近接したことを示すものである場合には、前記通信部を受信モードに移行させ、前記判定部の判定の結果が、他の情報処理装置が近接していないことを示すものである場合には、前記通信部を送信モードに移行させる。【０００６】
上記目的を達成するために本発明の情報処理装置の制御方法は、
情報処理装置の制御方法であって、
前記情報処理装置には、他の情報処理装置と近距離無線通信を行なう通信部が設けられ、
前記通信部の通信結果に基づいて、他の情報処理装置が近接しているか否かを判定し、
前記判定の結果が、他の情報処理装置が近接したことを示すものである場合には、前記通信部を受信モードに移行させ、前記判定の結果が、他の情報処理装置が近接していないことを示すものである場合には、前記通信部を送信モードに移行させる。
【発明の効果】
【０００７】
本発明によれば、簡易な方法で、複数の情報処理装置にデータを配布することができる。
【図面の簡単な説明】
【０００８】
【図１】本発明の第１の実施形態の情報処理装置の要部構成を示すブロック図である。
【図２】本発明の第２の実施形態の情報処理装置の要部構成を示すブロック図である。
【図３】図２に示す情報処理装置の外観を示す正面図である。
【図４】図３に示すＡ−Ａ’線に沿った断面図である。
【図５】図２に示す情報処理装置の動作の概要を説明するための図である。
【図６】図２に示す情報処理装置の動作の概要を説明するための図である。
【図７】図２に示す情報処理装置の動作を示すフローチャートである。
【図８】図２に示す情報処理装置が複数重ね合わされた状態を示す図である。
【図９】図２に示す情報処理装置における、近接する他の情報処理装置との位置関係の判定時の動作を示すフローチャートである。
【図１０】図２に示す情報処理装置の別の動作の概要を説明するための図である。
【図１１】図２に示す情報処理装置の正面図である。
【図１２】図１１に示すＢ−Ｂ’線に沿った断面図である。
【図１３】図１１に示すＣ−Ｃ’線に沿った断面図である。
【図１４】図２に示す表示部に表示する画像の一例を示す図である。
【図１５】図２に示す情報処理装置の他の動作を説明するための図である。
【図１６】図２に示す情報処理装置の他の動作を説明するための図である。
【発明を実施するための形態】
【０００９】
以下に、本発明を実施するための形態について図面を参照して説明する。
（第１の実施形態）
図１は、本発明の第１の実施形態の情報処理装置１００の要部構成を示すブロック図である。
図１に示す情報処理装置１００は、通信部１１０と、判定部１２０と、制御部１３０とを有する。
通信部１１０は、例えば、ＮＦＣ（Ｎｅａｒ  Ｆｉｅｌｄ  Ｃｏｍｍｕｎｉｃａｔｉｏｎ）規格に従い、他の情報処理装置１００と近距離無線通信を行なう。
判定部１２０は、通信部１１０の通信結果に基づいて、他の情報処理装置１００が近接しているか否かを判定する。
制御部１３０は、判定部１２０の判定結果に基づいて、通信部１１０の通信動作を制御する。
【００１０】
次に、情報処理装置１００の動作について説明する。
制御部１３０は、判定部１２０の判定結果が、他の情報処理装置１００が近接したことを示すものである場合には、通信部１１０を受信モードに移行させる。また、制御部１３０は、判定部１２０の判定結果が、他の情報処理装置１００が近接していないことを示すものである場合には、通信部１１０を送信モードに移行させる。
【００１１】
このように本実施形態の情報処理装置１００は、他の情報処理装置１００と近距離無線通信を行なう通信部１１０と、通信部１１０の通信結果に基づいて、他の情報処理装置１００が近接しているか否かを判定する判定部１２０と、通信部１１０の通信動作を制御する制御部１３０とを有する。
制御部１３０は、判定部１２０の判定結果が、他の情報処理装置１００が近接したことを示すものである場合には、通信部１１０を受信モードに移行させる。また、制御部１３０は、判定部１２０の判定結果が、他の情報処理装置１００が近接していないことを示すものである場合には、通信部１１０を送信モードに移行させる。
【００１２】
そのため、複数の情報処理装置１００を近接させることで、その複数の情報処理装置１００の通信部１１０を受信モードに移行させることができる。そして、その複数の情報処理装置１００に、他の情報処理装置１００と近接しておらず、通信部１１０が送信モードに移行している情報処理装置１００を新たに近接させることで、新たに近接した情報処理装置１００から、複数の情報処理装置１００に一度にデータを送信することができる。
したがって、例えば、複数の情報処理装置１００を重ね合わせることで、その複数の情報処理装置１００の通信部１１０を受信モードに移行させることができる。そして、その複数の情報処理装置１００に、通信部１１０が送信モードに移行している情報処理装置１００を近接させるという簡易な方法で、複数の情報処理装置１００に一度にデータを送信（配布）することができる。
【００１３】
（第２の実施形態）
図２は、本発明の第２の実施形態の情報処理装置２００の要部構成を示すブロック図である。
図２に示す情報処理装置２００は、通信部２１０と、判定部２２０と、表示部２３０と、入力部２４０と、制御部２６０とを有する。
通信部２１０は、第１の通信部２１１と、第２の通信部２１４とを有する。
第１の通信部２１１は、例えば、ＮＦＣ規格に従い、他の情報処理装置２００と近距離無線通信を行なう。
第２の通信部２１４は、例えば、ＷｉＦｉ（Ｗｉｒｅｌｅｓｓ  Ｆｉｄｅｌｉｔｙ）（登録商標）などの無線ＬＡＮ（Ｌｏｃａｌ  Ａｒｅａ  Ｎｅｔｗｏｒｋ）規格に従い、他の情報処理装置２００と通信を行う。なお、第２の通信部２１４の通信方式は、これに限られるものではないが、第２の通信部２１４の通信速度は、第１の通信部２１１の通信速度よりも速いものとする。
判定部２２０は、第１の通信部２１１の通信結果に基づいて、他の情報処理装置２００が近接しているか否かを判定する。具体的には、判定部２２０は、第１の通信部２１１が他の情報処理装置２００と信号の送受信が可能である場合には、他の情報処理装置２００が近接していると判定する。また、判定部２２０は、第１の通信部２１１が他の情報処理装置２００と信号の送受信ができない場合には、他の情報処理装置２００が近接していないと判定する。
表示部２３０は、制御部２６０の制御に従い、種々の映像を表示する。
入力部２４０は、ユーザからの操作入力を検出し、入力された操作内容に応じた信号を制御部２６０に出力する。なお、入力部２４０の具体例としては、指、スタイラスペンなどの物体の接触または近接を検出し、物体の接触または近接した位置に応じた信号を出力するタッチパッドがある。この場合、タッチパッドである入力部２４０は、表示部２３０上に重ね合わせて配置され、表示部２３０とともに、いわゆるタッチパネルを構成する。以下では、表示部２３０と入力部２４０とは、タッチパネル２５０を構成するものとする。
制御部２６０は、入力部２４０からの信号に基づいて、各部を制御する。例えば、制御部２６０は、判定部２２０の判定結果に基づいて、通信部２１０の通信動作を制御する。具体的には、データの送受信を行う場合、第１の通信部２１１に近距離無線通信を行わせる。その後、他の情報処理装置２００が近接しているか否かを示す判定部２２０の判定結果に基づいて、通信部２１０を受信モードあるいは送信モードに移行させる。
【００１４】
図３は、情報処理装置２００の外観を示す正面図である。
図３に示すように、情報処理装置２００の一面（正面）の略全面を占めるように、タッチパネル２５０が配置されている。また、情報処理装置２００の略中央に、情報処理装置２００の正面に沿って、第１の通信部２１１が配置されている。なお、第１の通信部２１１は、通常、情報処理装置２００の筐体内部に配置されるため、外観上、視認されることは無い。しかし、図３においては、説明の便宜上、第１の通信部２１１についても点線で示している。
【００１５】
図４は、図３に示すＡ−Ａ’線に沿った断面図である。
図４に示すように、タッチパッドである入力部２４０の下に、表示部２３０が配置されている。表示部２３０と入力部２４０とは、タッチパネル２５０を構成している。
図４に示すように、第１の通信部２１１は、シールド２１２と、２つのアンテナ２１３Ａ，２１３Ｂとを有する。
シールド２１２は、表示部２３０に沿って設けられている。シールド２１２と表示部２３０との間、および、シールド２１２と情報処理装置２００の背面側の筐体２７０との間にはそれぞれ、隙間が設けられている。
アンテナ２１３Ａは、シールド２１２の表示部２３０側の面、すなわち、情報処理装置２００の正面側に設けられている。
アンテナ２１３Ｂは、シールド２１２のアンテナ２１３Ａが設けられた面とは反対側の面、すなわち、情報処理装置２００の背面側に設けられている。
判定部２２０は、アンテナ２１３Ａ，２１３Ｂの信号の受信状況に基づき、他の情報処理装置２００が近接しているか否かを判定する。
上述したように、アンテナ２１３Ａとアンテナ２１３Ｂとの間にはシールド２１２が設けられている。そのため、情報処理装置２００の正面側から到来した信号は、アンテナ２１３Ａでは受信されるが、シールド２１２で遮蔽されるため、アンテナ２１３Ｂでは受信されない。一方、情報処理装置２００の背面側から到来した信号は、アンテナ２１３Ｂでは受信されるが、シールド２１２で遮蔽されるため、アンテナ２１３Ａでは受信されない。
そのため、判定部２２０は、他の情報処理装置２００が近接している場合には、アンテナ２１３Ａ，２１３Ｂの信号の受信状況に基づき、他の情報処理装置２００と自装置との位置関係（その情報処理装置２００が正面側に位置しているか、背面側に位置しているか）も判定することができる。
【００１６】
次に、情報処理装置２００を用いたデータの送受信方法について説明する。
以下では、図５に示すように、３台の情報処理装置２００−１，２００−２，２００−３に、情報処理装置２００−４に記憶されているデータを受信させる例について説明する。
まず、データの送受信を行う場合には、情報処理装置２００−１〜２００−４はそれぞれ、第１の通信部２１１に通信（信号の送受信）を開始させる。その後、データの受信側である情報処理装置２００−１〜２００−３は、図５に示すように、机などの上に、重ね合わせられる。図５においては、情報処理装置２００−１が机などの上に配置され、情報処理装置２００−１の上に情報処理装置２００−２が配置され、情報処理装置２００−２の上に情報処理装置２００−３が配置されている。
【００１７】
図５に示す状態において、情報処理装置２００−１〜２００−３はそれぞれ、近距離無線通信を行い、他の情報処理装置２００が近接しているか否かを判定する。
上述したように、情報処理装置２００−１〜２００−３は重ね合わせられており、近接している。そのため、情報処理装置２００−１〜２００−３はそれぞれ、他の情報処理装置２００が近接していると判定する（近接する複数の情報処理装置２００からなる情報処理装置群２００Ｇに自装置が属していると判定する）。
情報処理装置２００−１〜２００−３はそれぞれ、他の情報処理装置１００が近接していると判定すると、通信部２１０を受信モードに移行させる。また、情報処理装置２００−１〜２００−３はそれぞれ、自装置を識別するための識別情報を、近接無線通信を用いて互いに送受信する。こうすることで、情報処理装置２００−１〜２００−３はそれぞれ、情報処理装置群２００Ｇに属する各情報処理装置を識別することができる。なお、情報処理装置の識別情報は、情報処理装置が第２の通信部２１４を用いて通信を行なうために必要な通信ＩＤ（Ｉｄｅｎｔｉｆｉｅｒ）などの情報である。
また、情報処理装置２００−１〜２００−３はそれぞれ、自装置が情報処理装置群２００Ｇに属する情報処理装置のうち、所定位置に配置されているマスター装置であるか否かを判定する。上述したように、情報処理装置２００は、他の情報処理装置２００が近接している場合、アンテナ２１３Ａ，２１３Ｂの信号の受信状況に基づき、その情報処理装置２００との位置関係を判定することができる。そのため、情報処理装置２００−１〜２００−３はそれぞれ、自装置がマスター装置であるか否かを判定することができる。以下では、マスター装置とは、重ね合わされた複数の情報処理装置２００のうち、最も上側に配置された情報処理装置２００であるとする。
図５に示すように、情報処理装置２００−３が、最も上側に配置されている。そのため、情報処理装置２００−３は、自装置がマスター装置であると判定する。
情報処理装置２００−３は、自装置がマスター装置であると判定し、通信部２１０を受信モードに移行させると、情報処理装置群２００Ｇに属する情報処理装置とは別の情報処理装置２００が新たに近接したか否かを判定する。
【００１８】
一方、データの送受信を行う場合、データの送信側である情報処理装置２００−４は、図５に示すように、他の情報処理装置２００−１〜２００−３から離れた状態に保たれる。
図５に示す状態において、情報処理装置２００−４は、他の情報処理装置２００が近接しているか否かを判定する。情報処理装置２００−４は、他の情報処理装置２００−１〜２００−３から離されているため、他の情報処理装置２００との間で近距離無線通信を用いた信号の送受信ができない。情報処理装置２００−４は、例えば、所定時間以上、他の情報処理装置２００との間で近距離無線通信を用いた信号の送受信ができない状態が続くと、他の情報処理装置２００が近接していないと判定する。
情報処理装置２００−４は、他の情報処理装置２００が近接していないと判定すると、通信部２１０を送信モードに移行させる。そして、情報処理装置２００−４は、送信すべきデータの指定を受け付け、指定されたデータを表示部２３０に表示する。その後、情報処理装置２００−４は、新たに他の情報処理装置２００が近接したか否かを判定する。
情報処理装置２００−４が、通信部２１０を送信モードに移行させ、情報処理装置２００−１〜２００−３が、通信部２１０を受信モードに移行させた後、図６に示すように、情報処理装置２０−０−４が、情報処理装置群２００Ｇ（情報処理装置２００−３）の上側に重ね合わせられる。
情報処理装置２００−４が情報処理装置２００−３に重ね合わせられると、情報処理装置２００−３は、新たに情報処理装置２００−４が近接したと判定する。新たに情報処理装置２００−４が近接したと判定すると、情報処理装置２００−３は、情報処理装置群２００Ｇに属する各情報処理装置の通信ＩＤを、近距離無線通信を用いて情報処理装置２００−４に送信する。
また、情報処理装置２００−３は、情報処理装置群２００Ｇに属する他の情報処理装置２００と近離無線通信を行い、新たに情報処理装置２００−４が近接した旨を通知する。
【００１９】
受信モードに移行後、新たに情報処理装置群２００Ｇに情報処理装置２００−４が近接すると、情報処理装置２００−１〜２００−３はそれぞれ、情報処理装置２００−４から送信されるデータを第２の通信部２１４を用いて受信する。
一方、情報処理装置２００−４が情報処理装置２００−３に重ね合わせられると、情報処理装置２００−４は、新たに情報処理装置２００−３が近接したと判定する。新たに情報処理装置２００−３が近接したと判定すると、情報処理装置２００−４は、情報処理装置群２００Ｇに属する各情報処理装置の通信ＩＤを、近距離無線通信を用いて情報処理装置２００−３から受信する。そして、情報処理装置２００−４は、指定されたデータを、受信した通信ＩＤに示される情報処理装置２００に、第２の通信部２１４を用いて送信する。
なお、第１の通信部２１１を用いてデータを送受信することも可能である。ただし、ＮＦＣ規格などに基づく近距離無線通信は、通信速度があまり速くなく、送信するデータのサイズによっては、送信に時間がかかることがある。上述したように、第２の通信部２１４の通信速度は、第１の通信部２１１の通信速度よりも速いため、第２の通信部２１４を用いてデータの送受信を行うことで、送信にかかる時間を短縮することができる。
【００２０】
このように、情報処理装置２００を用いたデータの送受信方法では、複数の情報処理装置２００を近接させ、その後、新たに別の情報処理装置２００を近接させる。こうすることで、情報処理装置群２００Ｇに属する複数の情報処理装置２００に一度に、新たに近接した情報処理装置２００からのデータを受信させることができる。したがって、例えば、複数の情報処理装置２００を重ね合わせて、その複数の情報処理装置２００に、配布するデータを記憶している情報処理装置２００を新たに近接させるといった、簡易な方法で、複数の情報処理装置２００にデータを受信させることができる。
【００２１】
次に、情報処理装置２００の動作について、図７に示すフローチャートを参照して、より詳細に説明する。
データの送受信を行う旨が入力されると、制御部２６０は、第１の通信部２１１に近距離無線通信を開始させる（ステップＳ３０１）。
第１の通信部２１１が近距離無線通信を開始すると、判定部２２０は、第１の通信部２１１の通信の結果に基づいて、他の情報処理装置２００が近接しているか否かを判定し（ステップＳ３０２）、判定結果を制御部２６０に通知する。また、判定部２２０は、他の情報処理装置２００が近接していると判定した場合、アンテナ２１３Ａ，２１３Ｂの信号の受信状況に基づき、その情報処理装置２００と自装置との位置関係を判定し、判定結果を制御部２６０に通知する。なお、位置関係の判定方法の詳細については後述する。
【００２２】
他の情報処理装置２００が近接している旨が判定部２２０から通知されると（ステップＳ３０２：Ｙｅｓ）、制御部２６０は、通信部２１０を受信モードに移行させる（ステップＳ３１１）。
また、制御部２６０は、判定部２２０から通知された、近接する他の情報処理装置２００と自装置との位置関係に基づいて、自装置がマスター装置であるか否かを判定する。以下では、制御部２６０は、自装置がマスター装置であると判定したとする。
制御部２６０は、自装置がマスター装置であると判定すると、第１の通信部２１１に他の情報処理装置と近距離無線通信を行わせ、情報処理装置群に属する各情報処理装置の通信ＩＤを取得する。
通信部２１０が受信モードに移行後、自装置がマスター装置であると判定されると、判定部２２０は、新たに情報処理装置２００が近接したか否かを判定する（ステップＳ３１２）。
新たに情報処理装置２００が近接していないと判定した場合には（ステップＳ３１２：Ｎｏ）、判定部２２０は、ステップＳ３１２の処理を繰り返す。
新たに情報処理装置２００が近接したと判定した場合には（ステップＳ３１２：Ｙｅｓ）、判定部２２０は、その旨を制御部２６０に通知する。
新たに情報処理装置２００が近接した旨が判定部２２０から通知されると、制御部２６０は、第２の通信部２１４を用いたデータの受信を許可する（ステップＳ３１３）。また、制御部２６０は、新たに情報処理装置２００が近接した旨を、第１の通信部２１１に情報処理装置群に属する他の情報処理装置２００へ送信させる。
なお、制御部２６０は、自装置がマスター装置でないと判定した場合、ステップＳ３１２の処理の代わりに、他の情報処理装置２００から、新たに情報処理装置２００が近接した旨が通知されると、ステップＳ３１３の処理に進む。
次に、制御部２６０は、情報処理装置群に属する各情報処理装置の通信ＩＤを、第１の通信部２１１にステップＳ３１２において近接したと判定された情報処理装置２００へ送信させる（ステップＳ３１４）。
次に、制御部２６０は、ステップＳ３１２において新たに近接したと判定された情報処理装置２００から送信されたデータを第２の通信部２１４に受信させる（ステップＳ３１５）。なお、制御部２６０は、自装置がマスター装置でないと判定した場合、ステップＳ３１４の処理を行なうことなく、ステップＳ３１５の処理に進む。
【００２３】
一方、他の情報処理装置２００が近接していない旨が判定部２２０から通知されると（ステップＳ３０２：Ｎｏ）、制御部２６０は、通信部２１０を送信モードに移行させる（ステップＳ３２１）。
通信部２１０が送信モードに移行後、判定部２２０は、新たに他の情報処理装置２００が近接したか否かを判定する（ステップＳ３２２）。
他の情報処理装置２００が近接していないと判定した場合には（ステップＳ３２２：Ｎｏ）、判定部２２０は、ステップＳ３２２の処理を繰り返す。
他の情報処理装置２００が近接したと判定した場合には（ステップＳ３２２：Ｙｅｓ）、判定部２２０は、その旨を制御部２６０に通知する。
新たに他の情報処理装置２００が近接した旨が判定部２２０から通知されると、制御部２６０は、第２の通信部２１４を用いたデータの送信を許可する（ステップＳ３２３）。
次に、制御部２６０は、情報処理装置群のマスター装置から、その情報処理装置群に属する各情報処理装置の通信ＩＤを、第１の通信部２１１を介して受信したか否かを判定する（ステップＳ３２４）。
情報処理装置群に属する各情報処理装置の通信ＩＤを受信していないと判定した場合には（ステップＳ３２４：Ｎｏ）、制御部２６０は、ステップＳ３２４の処理を繰り返す。
情報処理装置群に属する各情報処理装置の通信ＩＤを受信したと判定した場合には（ステップＳ３２４：Ｙｅｓ）、制御部２６０は、入力部２４０を介した送信データの指定を受け付ける（ステップＳ３２５）。
送信データが指定されると、制御部２６０は、指定されたデータを第２の通信部２１４に、受信した通信ＩＤに示される各情報処理装置２００へ送信させる（ステップＳ３２６）。
【００２４】
次に、近接する情報処理装置２００の位置の判定方法の詳細について、説明する。
なお、以下では、図８に示すように、机などの上に情報処理装置２００−１が配置され、情報処理装置２００−１の上に、情報処理装置２００−２が重ねられ、情報処理装置２００−２の上に、情報処理装置２００−３が重ねられているものとする。
図９は、図８に示す情報処理装置２００−１，２００−２，２００−３の動作を示すフローチャートである。なお、以下では、情報処理装置群に属する情報処理装置のうち、最も上側に配置された情報処理装置２００が、マスター装置であるものとして説明する。
また、以下では、情報処理装置２００には、例えば、加速度センサが設けられているものとする。この場合、判定部２２０は、加速度センサの検出結果に基づいて、情報処理装置２００の向き（情報処理装置２００の正面側、背面側いずれが上方向を向くか）を判別することができる。
【００２５】
情報処理装置２００−１の制御部２６０（制御部２６０−１）は、データの送受信を行う旨が入力されると、第１の通信部２１１（第１の通信部２１１−１）に近距離無線通信（信号の送受信）を開始させる（ステップＳ４１１）。
次に、情報処理装置２００−１の判定部２２０（判定部２２０−１）は、第１の通信部２１１−１の信号の受信状況を確認する。具体的には、判定部２２０−１は、第１の通信部２１１−１のアンテナ２１３Ａ，２１３Ｂ（アンテナ２１３Ａ−１，２１３Ｂ−１）それぞれの信号の受信状況を確認する（ステップＳ４１２）。
図８に示すように、情報処理装置２００−１は、背面側が机などに接するように配置されている。そのため、背面側に設けられたアンテナ２１３Ｂ−１は、他の情報処理装置２００からの信号を受信することはない。一方、情報処理装置２００−１正面側には、情報処理装置２００−２が重なるように配置されている。そのため、正面側に設けられた２１３Ａ−１は、情報処理装置２００−２からの信号を受信する。
次に、判定部２２０−１は、アンテナ２１３Ａ−１、２１３Ｂ−１それぞれの信号の受信状況に基づいて、情報処理装置２００−１の位置を判定する（ステップＳ４１３）。
具体的には、判定部２２０−１は、アンテナ２１３Ａ−１は信号を受信し、アンテナ２１３Ｂ−１は信号を受信していないため、情報処理装置２００−１の正面側には、他の情報処理装置２００が近接し、背面側には、他の情報処理装置２００が近接していないと判定する。
図８に示すように、情報処理装置２００−１は、正面側が上を向くように配置されている。そのため、判定部２２０−１は、情報処理装置２００−１の上側には他の情報処理装置２００が近接し、下側には他の情報処理装置２００が近接していないと判定する。そして、判定部２２０−１は、判定結果を制御部２６０−１に通知する。
制御部２６０−１は、情報処理装置２００−１の上側には他の情報処理装置２００が近接し、下側には他の情報処理装置２００が近接していない旨が通知されると、情報処理装置２００−１が情報処理装置群に属する情報処理装置の中で、最も上側に配置さていないと判定する。この結果、制御部２６０−１は、情報処理装置２００−１はマスター装置ではないと判定する（ステップＳ４１４）。
制御部２６０−１は、情報処理装置２００−１がマスター装置でないと判定すると、第１の通信部２１１−１に、情報処理装置２００−１の通信ＩＤをマスター装置に対して送信させる（ステップＳ４１５）。
【００２６】
情報処理装置２００−２の制御部２６０（制御部２６０−２）は、データの送受信を行う旨が入力されると、第１の通信部２１１（第１の通信部２１１−２）に近距離無線通信（信号の送受信）を開始させる（ステップＳ４２１）。
次に、情報処理装置２００−２の判定部２２０（判定部２２０−２）は、第１の通信部２１１−２の信号の受信状況を確認する。具体的には、判定部２２０−２は、第１の通信部２１１−２のアンテナ２１３Ａ，２１３Ｂ（アンテナ２１３Ａ−２，アンテナ２１３Ｂ−２）それぞれの信号の受信状況を確認する（ステップＳ４２２）。
図８に示すように、情報処理装置２００−２は、背面側が情報処理装置２００−１と対向するように、情報処理装置２００−１の上に重ねられている。そのため、背面側に設けられたアンテナ２１３Ｂ−２は、情報処理装置２００−１からの信号を受信する。一方、情報処理装置２００−２の正面側には、情報処理装置２００−３が重なるように配置されている。そのため、正面側に設けられた２１３Ａ−２は、情報処理装置２００−３からの信号を受信する。
次に、判定部２２０−２は、アンテナ２１３Ａ−２、２１３Ｂ−２それぞれの信号の受信状況に基づいて、情報処理装置２００−２の位置を判定する（ステップＳ４２３）。
具体的には、判定部２２０−２は、アンテナ２１３Ａ−２，２１３Ｂ−２はそれぞれ信号を受信しているため、情報処理装置２００−２の正面側、背面側それぞれに他の情報処理装置２００が近接していると判定する。すなわち、判定部２２０−２は、情報処理装置２００−２の上側、下側それぞれに他の情報処理装置２００が近接していると判定し、判定結果を制御部２６０−２に通知する。
制御部２６０−２は、情報処理装置２００−２の上側、下側それぞれに他の情報処理装置２００が近接している旨が通知されると、情報処理装置２００−２が情報処理装置群に属する情報処理装置の中で、最も上側に配置されていないと判定する。この結果、制御部２６０−２は、情報処理装置２００−２はマスター装置ではないと判定する（ステップＳ４２４）。
制御部２６０−２は、情報処理装置２００−２がマスター装置でないと判定すると、第１の通信部２１１−２に、情報処理装置２００−２の通信ＩＤをマスター装置に対して送信する（ステップＳ４２５）。
情報処理装置２００−３の制御部２６０（制御部２６０−３）は、データの送受信を行う旨が入力されると、第１の通信部２１１（第１の通信部２１１−３）に近距離無線通信（信号の送受信）を開始させる（ステップＳ４３１）。
図８に示すように、情報処理装置２００−３は、背面側が情報処理装置２００−２と対向するように、情報処理装置２００−２の上に重ねられている。そのため、背面側に設けられたアンテナ２１３Ｂ−３は、情報処理装置２００−２からの信号を受信する。一方、情報処理装置２００−３の正面側には、他の情報処理装置２００が重ねられていない。そのため、正面側に設けられた２１３Ａ−３は、他の情報処理装置２００からの信号を受信することはない。
【００２７】
次に、情報処理装置２００−３の判定部２２０（判定部２２０−３）は、第１の通信部２１１−３の信号の受信状況を確認する。具体的には、判定部２２０−３は、第１の通信部２１１−３のアンテナ２１３Ａ，２１３Ｂ（アンテナ２１３Ａ−３，アンテナ２１３Ｂ−３）それぞれの信号の受信状況を確認する（ステップＳ４３２）。
次に、判定部２２０−３は、アンテナ２１３Ａ−３、２１３Ｂ−３それぞれの信号の受信状況に基づいて、情報処理装置２００−３の位置を判定する（ステップＳ４３３）。
具体的には、判定部２２０−３は、アンテナ２１３Ａ−３は信号を受信しておらず、アンテナ２１３Ｂ−１は信号を受信しているため、情報処理装置２００−３の正面側には、他の情報処理装置２００が近接しておらず、背面側には、他の情報処理装置２００が近接していると判定する。
図８に示すように、情報処理装置２００−３は、正面側が上を向くように配置されている。そのため、判定部２２０−３は、情報処理装置２００−３の上側には他の情報処理装置２００が近接しておらず、下側には他の情報処理装置２００が近接していると判定する。そして、判定部２２０−３は、判定結果を制御部２６０−３に通知する。
制御部２６０−３は、情報処理装置２００−３の上側には他の情報処理装置２００が近接しておらず、下側には他の情報処理装置２００が近接している旨が通知されると、情報処理装置２００−３が情報処理装置群に属する情報処理装置の中で、最も上側に配置されていると判定する。この結果、制御部２６０−３は、情報処理装置２００−３はマスター装置であると判定する（ステップＳ４３４）。
制御部２６０−３は、情報処理装置２００−１がマスター装置でないと判定すると、第１の通信部２１１−３に、他の情報処理装置２００から送信されてくる通信ＩＤを受信させる（ステップＳ４３５）。
【００２８】
このように本実施形態の情報処理装置２００は、他の情報処理装置２００と近距離無線通信を行なう通信部２１０と、通信部２１０の通信結果に基づいて、他の情報処理装置２００が近接しているか否かを判定する判定部２２０と、通信部２１０の通信動作を制御する制御部２６０とを有する。
制御部２６０は、データの送受信を行う場合、通信部２１０の第１の通信部２１１に近距離無線通信を行わせる。その後、制御部２６０は、判定部２２０の判定結果が、他の情報処理装置２００が近接したことを示すものである場合には、通信部２１０を受信モードに移行させる。また、制御部２６０は、判定部２２０の判定結果が、他の情報処理装置２００が近接していないことを示すものである場合には、通信部２１０を送信モードに移行させる。その後、制御部２６０は、新たに情報処理装置２００が近接すると、通信部２１０の第２の通信部２１４に新たに近接した情報処理装置２００との間で、移行したモードに応じてデータの送受信を行わせる。
【００２９】
そのため、複数の情報処理装置２００を近接させることで、その複数の情報処理装置２００の通信部２１０を受信モードに移行させることができる。そして、その複数の情報処理装置２００に、他の情報処理装置２００と近接しておらず、通信部２１０が送信モードに移行している情報処理装置２００を新たに近接させることで、新たに近接した情報処理装置１００から、複数の情報処理装置１００にデータが送信される。
したがって、例えば、複数の情報処理装置２００を重ね合わせることで、その複数の情報処理装置２００の通信部２１０を受信モードに移行させることができる。そして、その複数の情報処理装置２００に、通信部２１０が送信モードに移行している情報処理装置２００を近接させるという簡易な方法で、新たに近接した情報処理装置２００から、複数の情報処理装置２００に一度にデータを送信（配布）することができる。
【００３０】
なお、本実施形態においては、情報処理装置２００は、通信部２１０を送信モードに移行させた後、情報処理装置群に属する情報処理装置２００の通信ＩＤを取得すると、データの送信を開始する例を用いて説明したが、これに限られるものではない。
変形例として、図１０に示すように、情報処理装置２００−１〜２００−３が属する情報処理装置群２００Ｇの横に、別の情報処理装置２００−４を情報処理装置群２００Ｇに近接するように配置するようにしてもよい。この場合、情報処理装置群２００Ｇの横に情報処理装置２００−４が配置された後、例えば、ユーザの指４００を情報処理装置２００−４のタッチパネル２５０上で、情報処理装置群２００Ｇの方向に向かってスライド操作が入力されると、情報処理装置２００−４は、データの送信を開始する。
こうすることで、利用者の意図に反して、データが送信される可能性を低減することができる。
なお、図４において説明したように、第１の通信部２１１のシールドおよびアンテナを適当に配置することで、情報処理装置２００のいずれ面に他の情報処理装置２００が近接しているかを判定することができる。
図１１は、情報処理装置２００の外観を示す斜視図である。また、図１２は、図１１に示すＢ−Ｂ’線に沿った断面図であり、図１３は、図１１に示すＣ−Ｃ’線に沿った断面図である。
図１２に示すように、情報処理装置２００の左側面に沿って、シールド２１２Ａが設けられている。シールド２１２Ａと筐体２７０の左側面との間にアンテナ２１３Ｃが設けられている。また、情報処理装置２００の右側面に沿って、シールド２１２Ｂが設けられている。シールド２１２Ｂと筐体２７０の右側面との間にアンテナ２１３Ｄが設けられている。
情報処理装置２００の左側面側から到来した信号は、アンテナ２１３Ｃでは受信されるが、シールド２１２Ａで遮蔽されるため、アンテナ２１３Ｄでは受信されない。一方、情報処理装置２００の右側面側から到来した信号は、アンテナ２１３Ｄでは受信されるが、シールド２１２Ｂで遮蔽されるため、アンテナ２１３Ｃでは受信されない。
そのため、判定部２２０は、アンテナ２１３Ｃ，２１３Ｄの信号の受信状況に基づき、他の情報処理装置２００と自装置との位置関係（その情報処理装置２００が左側面側に位置しているか、右側面側に位置しているか）を判定することができる。
また、図１３に示すように、情報処理装置２００の上側面に沿って、シールド２１２Ｃが設けられている。シールド２１２Ｃと筐体２７０の上側面との間にアンテナ２１３Ｅが設けられている。また、情報処理装置２００の下側面に沿って、シールド２１２Ｄが設けられている。シールド２１２Ｄと筐体２７０の下側面との間にアンテナ２１３Ｆが設けられている。
情報処理装置２００の上側面側から到来した信号は、アンテナ２１３Ｅでは受信されるが、シールド２１２Ｃで遮蔽されるため、アンテナ２１３Ｆでは受信されない。一方、情報処理装置２００の下側面側から到来した信号は、アンテナ２１３Ｆでは受信されるが、シールド２１２Ｄで遮蔽されるため、アンテナ２１３Ｅでは受信されない。
そのため、判定部２２０は、アンテナ２１３Ｅ，２１３Ｆの信号の受信状況に基づき、他の情報処理装置２００と自装置との位置関係（その情報処理装置２００が上側面側に位置しているか、下側面側に位置しているか）を判定することができる。
【００３１】
なお、制御部２６０は、他の情報処理装置２００が自装置の左側面側に位置しているか、右側面側に位置しているか、上側面側に位置しているか、下側面側に位置しているかの判定結果に応じて、表示部２３０の表示を制御するようにしてもよい。このような動作例について、図１４〜１６を参照して説明する。
以下では、図１４に示すように、画像３００を示すデータが情報処理装置２００間で送受信されるものとする。また、以下では、図１５に示す情報処理装置２００−１〜２００−３に情報処理装置２００−４から、そのデータを送信するものとする。
まず、データの送受信を行う場合には、情報処理装置２００−１〜２００−４はそれぞれ、第１の通信部２１１に通信（信号の送受信）を開始させる。その後、データの受信側である情報処理装置２００−１〜２００−３は、図１５に示すように、机などの上に、平面状に配置される。図１５においては、情報処理装置２００−１の右側面と情報処理装置２００−２の左側面とが接している。また、情報処理装置２００−２の下側面と情報処理装置２００−３の上側面とが接している。
図１５に示す状態において、情報処理装置２００−１〜２００−３はそれぞれ、近距離無線通信を行い、他の情報処理装置２００が近接しているか否かを判定する。
上述したように、情報処理装置２００−１の右側面と情報処理装置２００−２の左側面とが接している。また、情報処理装置２００−２の下側面と情報処理装置２００−３の上側面とが接している。そのため、情報処理装置２００−１〜２００−３はそれぞれ、他の情報処理装置２００が近接していると判定する。
情報処理装置２００−１〜２００−３はそれぞれ、他の情報処理装置１００が近接していると判定すると、通信部２１０を受信モードに移行させる。
【００３２】
一方、データの送受信を行う場合、データの送信側である情報処理装置２００−４は、図１５に示すように、他の情報処理装置２００−１〜２００−３から離れた状態に保たれる。
図１５に示す状態において、情報処理装置２００−４は、他の情報処理装置２００が近接しているか否かを判定する。情報処理装置２００−４は、他の情報処理装置２００−１〜２００−３から離されているため、他の情報処理装置２００との間で近距離無線通信を用いた信号の送受信ができない。情報処理装置２００−４は、例えば、所定時間以上、他の情報処理装置２００との間で近距離無線通信を用いた信号の送受信ができない状態が続くと、他の情報処理装置２００が近接していないと判定する。
情報処理装置２００−４は、他の情報処理装置２００が近接していないと判定すると、通信部２１０を送信モードに移行させる。
情報処理装置２００−４が、通信部２１０を送信モードに移行させ、情報処理装置２００−１〜２００−３が、通信部２１０を受信モードに移行させた後、図１６に示すように、情報処理装置２０−０−４が、情報処理装置２００−１〜２００−３に近接するように配置される。
図１６においては、情報処理装置２００−４は、上側面が情報処理装置２００−１の下側面に接し、右側面が情報処理装置２００−３の左側面と接するように配置されている。
図１６に示すよう状態で、情報処理装置２００−１〜２００−４はそれぞれ、他の情報処理端末２００が新たに近接したか否かを判定する。上述したように、情報処理装置２００−１〜２００−３に情報処理装置２００−４が新たに近接しているため、情報処理装置２００−１〜２００−４はそれぞれ、他の情報処理端末２００が新たに近接したと判定する。
他の情報処理端末２００が新たに近接したと判定すると、情報処理装置２００−１〜２００−４はそれぞれ、アンテナ２００Ｃ〜２００Ｆの信号の受信状況に基づいて、他の情報処理装置２００と自装置との位置関係を判定する。
図１６に示すように、情報処理装置２００−１は、右側面に情報処理装置２００−２が接し、下側面に情報処理装置２００−４が接するように配置されている。そのため、情報処理装置２００−１は、自装置の右側面側および下側面側に他の情報処理装置２００が近接している、すなわち、自装置が左上端に位置していると判定する。
また、情報処理装置２００−２は、左側面に情報処理装置２００−２が接し、下側面に情報処理装置２００−３が接するように配置されている。そのため、情報処理装置２００−２は、自装置の左側面側および下側面側に他の情報処理装置２００が近接している、すなわち、自装置が右上端に位置していると判定する。
また、情報処理装置２００−３は、左側面に情報処理装置２００−４が接し、上側面に情報処理装置２００−４が接するように配置されている。そのため、情報処理装置２００−３は、自装置の左側面側および上側面側に他の情報処理装置２００が近接している、すなわち、自装置が右下端に位置していると判定する。
また、情報処理装置２００−４は、右側面に情報処理装置２００−３が接し、上側面に情報処理装置２００−１が接するように配置されている。そのため、情報処理装置２００−４は、自装置の右側面側および上側面側に他の情報処理装置２００が近接している、すなわち、自装置が左下端に位置していると判定する。
データの送受信の完了後、情報処理装置２００−１〜２００−４はそれぞれ、データに示される画像を表示部２３０に表示させる。ここで、情報処理装置２００−１〜２００−４はそれぞれ、自装置の位置に応じた画像を表示させる。
具体的には、情報処理装置２００−１は、自装置が左上端に位置していると判定している。そのため、情報処理装置２００−１は、送受信の対象であるデータに示される画像３００を上下左右にそれぞれ２等分して得られる分割画像３００−１〜３００−４のうち、左上端の分割画像３００−１を表示部２３０に表示させる。
また、情報処理装置２００−２は、自装置が右上端に位置していると判定している。そのため、情報処理装置２００−２は、分割画像３００−１〜３００−４のうち、右上端の分割画像３００−２を表示部２３０に表示させる。
また、情報処理装置２００−３は、自装置が右下端に位置していると判定している。そのため、情報処理装置２００−２は、分割画像３００−１〜３００−４のうち、右下端の分割画像３００−３を表示部２３０に表示させる。
また、情報処理装置２００−４は、自装置が左下端に位置していると判定している。そのため、情報処理装置２００−４は、分割画像３００−１〜３００−４のうち、右上端の分割画像３００−４を表示部２３０に表示させる。
このように、近接する複数の情報処理装置２００の位置関係に応じて、各情報処理装置２００の表示部２３０の表示を制御することで、あたかも、複数の情報処理装置２００の表示部２３０を１つの表示部のように用い、大画面化を図ることができる。
【００３３】
また、本実施形態においては、第２の通信部２１４は、ＷｉＦｉなどの無線ＬＡＮ規格に従い、他の情報処理装置１０と通信を行う例を用いて説明したがこれに限られるものではない。例えば、第２の通信部２１４は、３Ｇ（第３世代移動通信ネットワーク）、ＬＴＥ（Ｌｏｎｇ  Ｔｅｒｍ  Ｅｖｏｌｕｔｉｏｎ）などのモバイルネットワークを介して通信を行なう機能を有していてもよい。
この場合、第２の通信部２１４は、情報処理装置群に属する情報処理装置から取得した通信ＩＤと送信対象のデータとを、モバイルネットワーク上のサーバに送信する。サーバは、受信した通信ＩＤに示される情報処理装置２００に、受信したデータを送信する。
【００３４】
以上、実施形態を参照して本願発明を説明したが、本願発明は、上記実施形態に限定されたものではない。本願発明の構成や詳細には、本願発明のスコープ内で当業者が理解し得る様々な変更を行うことができる。
この出願は、２０１４年３月１８日に出願された日本出願特願２０１４−０５４５４５号公報を基礎とする優先権を主張し、その開示の全てをここに取り込む。
【符号の説明】
【００３５】
１００，２００    情報処理装置
２００Ｇ    情報処理装置群
１１０，２１０    通信部
１２０，２２０    判定部
１３０，２６０    制御部
２１１    第１の通信部
２１２，２１２Ａ，２１２Ｂ，２１２Ｃ，２１２Ｄ    シールド
２１３Ａ，２１３Ｂ，２１３Ｃ，２１３Ｄ，２１３Ｅ，２３，Ｆ    アンテナ
２１４    第２の通信部
２３０    表示部
２４０    入力部
２５０    タッチパネル
【図１】
2015141248.tif 000003
【図２】
2015141248.tif 000004
【図３】
2015141248.tif 000005
【図４】
2015141248.tif 000006
【図５】
2015141248.tif 000007
【図６】
2015141248.tif 000008
【図７】
2015141248.tif 000009
【図８】
2015141248.tif 000010
【図９】
2015141248.tif 000011
【図１０】
2015141248.tif 000012
【図１１】
2015141248.tif 000013
【図１２】
2015141248.tif 000014
【図１３】
2015141248.tif 000015
【図１４】
2015141248.tif 000016
【図１５】
2015141248.tif 000017
【図１６】
2015141248.tif 000018
【国際調査報告】
2015141248.tif 000019
2015141248.tif 000020
2015141248.tif 000021
2015141248.tif 000022